(57)【要約】【課題】画像形成動作を開始するまでの温度制御の状態に関わらず、加熱体のフィルム摺動面の温度を安定して制御し、ホットオフセット等の画像不良が発生しない加熱装置及び画像形成装置を提供する。【解決手段】加熱体と、加熱体の温度を検知する温度検知素子と、加熱体に摺動移動するフィルムと、フィルムを介して加熱体と圧接してニップを形成する加圧体とを有し、未定着トナー像を担持した記録材をニップに搬送し、ニップで記録材にトナー像を加熱定着する加熱装置において、加熱装置の電源投入（または、待機時の温度制御停止）してから加熱装置の画像形成動作が開始されるまでの時間に応じて、加熱体を制御する制御温度を決定する。【選択図】        図１
2006030623.tif 000002
【特許請求の範囲】
【請求項１】
加熱体と、加熱体の温度を検知する温度検知素子と、加熱体に摺動移動するフィルムと、フィルムを介して加熱体と圧接してニップを形成する加圧体とを有し、
未定着トナー像を担持した記録材をニップに搬送し、ニップで記録材にトナー像を加熱定着する加熱装置において、
加熱装置の電源を投入してから加熱装置の画像形成動作が開始されるまでの時間に応じて、加熱体を制御する制御温度を決定することを特徴とする加熱装置。
【請求項２】
加熱装置の電源を投入してから加熱装置の画像形成動作が開始されるまでの時間がある一定時間以下の場合、加熱体を制御する制御温度を低下させることを特徴とする請求項１記載の加熱装置。
【請求項３】
加熱体と、加熱体の温度を検知する温度検知素子と、加熱体に摺動移動するフィルムと、フィルムを介して加熱体と圧接してニップを形成する加圧体とを有し、
未定着トナー像を担持した記録材をニップに搬送し、ニップで記録材にトナー像を加熱定着する加熱定着装置であり、
加熱装置が待機している間は加熱体を一定の温度で制御すると共に、待機中の加熱体への通電を停止し温度制御を停止することができる加熱装置において、
待機時に温度制御を停止してから加熱装置が画像形成動作するまでの時間に応じて、加熱体を制御する制御温度を決定することを特徴とする加熱装置。
【請求項４】
待機時の温度制御を停止してから加熱装置が動作するまでの時間がある一定時間以下の場合、加熱体を制御する温度を低下させることを特徴とする請求項３に記載の加熱装置。
【請求項５】
加熱体と、加熱体の温度を検知する温度検知素子と、加熱体に摺動移動するフィルムと、フィルムを介して加熱体と圧接してニップを形成する加熱体とを有し、
未定着トナー像を担持した記録材をニップに搬送し、ニップで記録材にトナー像を加熱定着する加熱装置において、
加熱装置の電源を投入してから加熱装置の画像形成動作が開始されるまでの時間と搬送された記録材の枚数に応じて、加熱体を制御する制御温度を決定することを特徴とする加熱装置。
【請求項６】
加熱装置の電源を投入してから加熱装置の画像形成動作が開始されるまでの時間がある一定時間以下の場合、加熱体を制御する制御温度を低下させることを特徴とする請求項５記載の加熱装置。
【請求項７】
請求項１から６のいずれか一つの加熱装置を備え、記録材に画像形成を行うことを特徴とする画像形成装置。
【発明の詳細な説明】
【技術分野】
【０００１】
本発明は、記録材を加熱するための加熱装置、特に複写機やプリンターに用いられる電子写真装置においてトナー像を記録材に融解固着させるための加熱装置に関し、特に、加熱体の耐熱性フィルムを介して記録材を密着させたフィルム加熱方式の定着装置に関するものである。
【背景技術】
【０００２】
従来、例えば、電子写真方式の画像形成装置における記録材の加熱装置としては、所定の温度に維持された加熱ローラと、弾性層を有して該加熱ローラに圧接する加圧ローラを有し、該両ローラによって、記録材上のトナー像を狭持搬送し加熱する熱ローラ加熱方式が多用されている。
【０００３】
また、固定支持された加熱体であるヒータと、該ヒータに対向圧接しつつ、搬送される耐熱性のフィルムと、該フィルムを介して記録材をヒータに密着させる加圧部材を有し、ヒータの熱をフィルムを介して記録材へ付与することで記録材面に形成担持されている未定着画像を記録材面に加熱定着される方式構成のフィルム加熱定着装置が実用されている。このフィルム加熱定着装置においてはヒータとして低熱容量加熱体を用いることができる。そのため従来の熱ローラ加熱方式に比べて小電力化およびウエイトタイム短縮（クイックスタート）が可能になる。
【０００４】
図２２は、フィルム加熱装置の概略断面図である。２はエンドレスの耐熱性のフィルムであり、加熱体を含むフィルムのガイド部材である加熱体支持体１（ヒーターステー）に外嵌させてある。このフィルム２の内周長と加熱体を含む加熱体支持体１の外周長はフィルムの方を例えば３ｍｍ程度大きくしてあり、したがってフィルム２は、加熱体支持体１に対し周長が余裕を持ってルーズに外嵌している。フィルム２は熱容量を小さくしてクイックスタート性を向上させるために、フィルム膜厚は１００μｍ以下の耐熱性のあるフィルムを使用する。３は加熱体であり、基板表面に電気抵抗材料を厚み約１０μｍ、幅１〜３ｍｍで塗工し、その上に保護層をコートしてある。４は、加熱体３との間でフィルム２を駆動回転させると共に、記録材をフィルムを介してヒータへ加圧する加圧部材としての加圧ローラであり、芯金４ａと耐熱ゴム層４ｂからなり、芯金４ａの端部から不図示の手段により駆動回転させる。本装置における温度制御は、ヒータ３上に配置された温度検知素子５の出力をＡ／Ｄ変換し、ＣＰＵに取り込み、その情報をもとに加熱体に通電する電力を制御している。
【０００５】
図８は、従来の加熱装置において、装置の電源を投入してから画像形成動作を行うまでの温度制御の一例を示したものである。図中の実線が加熱体の制御温度を示す。
【０００６】
長時間、装置を動作させない場合、加熱装置はほぼ室温の状態にある。そのときの温度検知素子の検知温度の出力は室温を示している。図中のａの時点で装置の電源を投入すると加熱体への通電が開始され、温度検知素子の検知温度がスタンバイ温調Ｔｓになるように一定温度で温度制御され、装置は待機状態となる。
【０００７】
ｂの時点で装置が画像形成の開始信号を受け取ると、加圧ローラが回転し、加熱体に通電を開始させ、プリント温度Ｔｐまで加熱体の温度を上昇させる。加熱体は、未定着トナー像を担持した記録材の先端がニップに入るより前に、記録材に未定着トナー画像を永久固着させるために必要な加熱温度であるプリント温度Ｔｐを保つように加熱体は温度制御される。
【０００８】
図中のｃの時点で記録材の後端が加熱装置を通過した後、加熱体の制御温度はスタンバイ温度に変更され、加熱体の温度は低下し一定温調される。
【０００９】
また、図１５は従来の加熱装置において、スタンバイ温調Ｔｓから装置がスタンバイ温度制御停止信号を受信してから画像形成動作を開始するまでの温度制御の一例を示したものである。
【００１０】
スタンバイ温調Ｔｓで温度制御された待機状態の加熱装置に、図中のｄの時点でスタンバイ温度制御を停止信号を受信した場合、加熱体への通電が停止され加熱体の温度は低下する。
【００１１】
図中ｂの時点で加熱体への通電が停止された状態で装置がプリント開始信号を受け取ると、加圧ローラが回転し、加熱体に通電を開始させ、プリント温度Ｔｐまで加熱体の温度を上昇させる。加熱体は、未定着トナー像を担持した記録材の先端がニップに入るより前に、記録材に未定着トナー画像を永久固着させるために必要な加熱温度であるプリント温度Ｔｐを保つように加熱体は温度制御される。
【００１２】
図中のｃの時点で記録材の後端が加熱装置を通過した後、加熱体の制御温度はスタンバイ温度Ｔｓに変更され、加熱体の温度は低下し一定温調される。
【００１３】
図７に従来の加熱装置におけるプリント温度を決定する表を示す。この方法は画像形成動作開始直前の加熱体の温度を温度検知素子に検知し、その検知温度に基づいて、加熱体の制御温度（プリント温度Ｔｐ）を決定する制御方法である（例えば、特許文献１参照）。
【特許文献１】特開平８−３６３２６号公報
【発明の開示】
【発明が解決しようとする課題】
【００１４】
しかし、従来の加熱装置においては、画像形成動作を開始するまでに行った温度制御の状態により、加熱体のフィルム摺動面側の温度と加熱体のフィルム摺動面と反対側に当接された温度検知素子の検出温度に違いが生じた。
【００１５】
そのため、温度検知素子の温度のみで加熱体の制御温度を決定すると加熱体から記録材に与える熱量が過剰になる、または不足することによる画像問題が発生する場合があった。
【００１６】
例えば、加熱装置の電源を投入して待機時のの温度制御を長時間放置した後に画像形成動作を開始した場合、加熱体は待機時の温度制御により温められているため、図６に示す加熱体のフィルム摺動面側（Ａ面）内のａ点の温度と加熱体のフィルム摺動面と反対側に当接された温度検知素子の当接面（Ｂ面）内のｂ点の温度は、ほぼ同じ温度である。
【００１７】
しかし加熱装置の電源を投入した直後に画像形成動作を開始した場合、加熱体は装置の設置環境の温度の低温の状態から加熱が開始されるため、加熱体の基板が温まるまでの間は加熱体のフィルム摺動面側（Ａ面）内のａ点の温度と加熱体のフィルム摺動面と反対側に当接された温度検知素子の当接面（Ｂ面）内のｂ点の温度に違いが生じ、温度検知素子により制御されるプリント温度Ｔｐに比べ加熱体のフィルム摺動面側の温度が高くなる問題がある。その結果、加熱体から記録材に与えられる熱量が過剰になることによるホットオフセット等の画像不良が発生する場合があった。
【００１８】
そこで本発明は上記の従来技術の課題を解決するためになされたもので、画像形成動作を開始するまでの温度制御の状態に関わらず、加熱体の摺動面の温度を安定して制御し、ホットオフセット、定着不良等の画像不良が発生しない加熱装置および画像形成装置を提供することを目的とする。
【課題を解決するための手段】
【００１９】
上記課題を解決するために本出願に関わる第１の発明は、加熱体と、加熱体の温度を検知する温度検知素子と、加熱体に摺動移動するフィルムと、フィルムを介して加熱体と圧接してニップを形成する加圧体とを有し、未定着トナー像を担持した記録材をニップに搬送し、ニップで記録材にトナー像を加熱定着する加熱装置において、加熱装置の電源を投入してから加熱装置の画像形成動作が開始されるまでの時間に応じて、加熱体を制御する制御温度を決定することを特徴とする。
【００２０】
本出願に関わる第２の発明は、本出願に関わる第１の発明において、加熱装置の電源を投入してから加熱装置の画像形成動作が開始されるまでの時間がある一定時間以下の場合、加熱体を制御する制御温度を低下させることを特徴とする。
【００２１】
本出願に関わる第３の発明は、加熱体と、加熱体の温度を検知する温度検知素子と、加熱体に摺動移動するフィルムと、フィルムを介して加熱体と圧接してニップを形成する加圧体とを有し、未定着トナー像を担持した記録材をニップに搬送し、ニップで記録材にトナー像を加熱定着する加熱定着装置であり、加熱装置が待機している間は加熱体を一定の温度で制御すると共に、待機中の加熱体への通電を停止し温度制御を停止することができる加熱装置において、待機時に温度制御を停止してから加熱装置が画像形成動作するまでの時間に応じて、加熱体を制御する制御温度を決定することを特徴とする。
【００２２】
本出願に関わる第４の発明は、本出願に関わる第３の発明において、待機時の温度制御を停止してから加熱装置が動作するまでの時間がある一定時間以下の場合、加熱体を制御する温度を低下させることを特徴とする。
【００２３】
本出願に関わる第５の発明は、加熱体と、加熱体の温度を検知する温度検知素子と、加熱体に摺動移動するフィルムと、フィルムを介して加熱体と圧接してニップを形成する加熱体とを有し、未定着トナー像を担持した記録材をニップに搬送し、ニップで記録材にトナー像を加熱定着する加熱装置において、加熱装置の電源を投入してから加熱装置の画像形成動作が開始されるまでの時間と搬送された記録材の枚数に応じて、加熱体を制御する制御温度を決定することを特徴とする。
【００２４】
本出願に関わる第６の発明は、本出願に関わる第５の発明において、加熱装置の電源を投入してから加熱装置の画像形成動作が開始されるまでの時間がある一定時間以下の場合、加熱体を制御する制御温度を低下させることを特徴とする。
【００２５】
本出願に関わる第７の発明は、請求項１から６のいずれか一つの加熱装置を備え、記録材に画像形成を行うことを特徴とする。
【発明の効果】
【００２６】
発明によれば、加熱装置の電源を投入してから加熱装置の画像形成動作が開始されるまでの時間、また加熱装置が待機している間の温度制御を停止してから加熱装置の画像形成動作が開始されるまでの時間に応じて、加熱体のフィルムと非摺動面側に配置された温度検知素子の制御温度を変更することで、加熱体基板の温度状態による加熱体裏面の温度検知素子当接部と加熱体のフィルム摺動面との温度差に関わらず、加熱体のフィルム摺動面の最適な温度に制御することができる。
【００２７】
よって、加熱体の異常な温度低下による定着不良や異常な温度上昇によるホットオフセット等の画像不良が発生しない加熱装置、および画像形成装置を提供することができる。
【発明を実施するための最良の形態】
【００２８】
以下に図面を参照して、この発明の好適な実施の形態を例示的に詳しく説明する。ただし、この実施の形態に記載されている構成部品の寸法、材質、形状、その相対位置などは、特に特定的な記載がない限りは、この発明の範囲をそれらのみに限定する趣旨のものではない。
【実施例】
【００２９】
（第１の実施例）
図２は本発明の一実施例としてのフィルム方式の加熱装置の概略構成を示す横断面図である。
【００３０】
図２において、１は加熱材支持体としての耐熱性樹脂性である横長のヒーターステーであり、下記のエンドレスフィルム２（以下フィルム）の内面のガイド部材となる。
【００３１】
２は耐熱性のエンドレスフィルムであり、加熱体であるヒータ３を含む上記ヒーターステー１に外嵌させてある。このフィルム２の内周長とヒータ３を含むヒーターステー１の外周長はフィルムの方を例えば３ｍｍ程大きくしてあり、従ってフィルム２は、ヒータ３を含むステー１に対して周長が余裕をもってルーズに外嵌している。
【００３２】
加熱体であるヒータ３は、アルミナ等でできた基板の略中央に沿って、例えばＡｇ／Ｐｄ（銀パラジウム）等の電気抵抗材料（発熱体）を厚み１０μｍ、幅約１〜５ｍｍにスクリーン印刷等により塗工し、その上に保護層としてガラスやフッ素樹脂等をコートしている。
【００３３】
加圧体としての４はヒータ３との間でフィルム２を挟んで定着ニップ部Ｎを形成し、フィルム２を駆動する回転体としての加圧ローラであり、アルミ、鉄等の加圧ローラ芯金４ａとこの軸に外装したシリコーンゴム等の離型性のよい耐熱性ゴムを用いた加圧ローラ弾性体部４ｂとからなり、加圧ローラ芯金４ａの端部が駆動手段であるモータＭにより駆動されることで矢印の方向に回転駆動される。加圧ローラ４が回転駆動されることでフィルム２も矢印の方向に回転駆動される。
【００３４】
フィルム２は非駆動時においてはヒータ３と加圧ローラ４とのニップ部Ｎに挟まれている部分を除く残余の大部分は略全周長部分がテンションフリーである。
【００３５】
加圧ローラ４が回転駆動されるとニップ部Ｎにおいてフィルム２に加圧ローラ４の回転周速と略同速度をもってフィルム裏面が加熱体３の面を摺動しつつ回転駆動される。
【００３６】
上記フィルム駆動とヒータ３の発熱体への通電を行わせた状態において、未定着画像Ｔを担持した記録材Ｐがニップ部Ｎのフィルム２と加圧ローラ４との間に像担持体面上向きで導入されると、記録材Ｐはフィルム２と一緒にニップ部Ｎを通過していき、該ニップ部Ｎにおいてフィルム裏面に接しているヒータ３の熱エネルギーがフィルム２を介して記録材Ｐに付与されてトナー像Ｔの熱定着がなされる。
【００３７】
ここでフィルム２は熱容量を小さくしてクイックスタート性を向上させるために、その膜厚は総厚１００μｍ以下が好ましく耐熱性、強度、耐久性等のあるポリイミド、ＰＥＥＫ、ＰＥＳ、ＰＰＳ等の基層の外周表面にプライマーをかねた導電層をコーティングし、更にその上に離型性に優れた略絶縁のＰＴＦＥ、ＰＦＡ、ＦＥＰ等の離型層をコーティングした複合層フィルムを使用している。
【００３８】
温度制御は、加熱体３上の抵抗発熱体３ａと逆側（裏面）に設けられた温度検知素子としてのサーミスタ５の出力をＡ／Ｄ変換し、ＣＰＵに取り込み、その情報を基にトライアックにより加熱体３の抵抗発熱体３ａに通電するＡＣ電圧を位相、波数制御等により、加熱体３への通電電力を制御することで行っている。
【００３９】
加熱装置の温度制御の概略図を図３に示す。Ｔｓは装置の電源投入時の待機状態で制御されるスタンバイ温度、Ｔｐは記録材が加熱装置に挿入される時に制御されるプリント温度である。横軸が時間、縦軸が温度を表している。
【００４０】
図３の動作を説明する。室温状態の加熱装置においてａ時点で電源を投入すると、加熱体への通電が開始されスタンバイ温度Ｔｓになるように通電制御が行われる。スタンバイ温度Ｔｓに維持された状態で待機した加熱装置にｂ時点でプリント信号が入力され画像形成動作が開始されると、記録材が加熱装置に搬送されるのに合わせてプリント温度Ｔｐになるように通電制御が行われ、加熱装置に記録材が搬送され加熱定着される。ｃ時点で記録材が加熱装置を通過して加熱定着が終了すると、再びスタンバイ温度Ｔｓに制御温度が変更され、加熱装置は待機状態となる。
【００４１】
図１は本実施例における加熱体のプリント温度Ｔｓを決定する表である。図１に示すように画像形成動作開始時のサーミスタ検知温度と電源投入からプリント信号が入力され画像形成動作開始されるまでの時間に応じて決定される。
【００４２】
以下、図３、図４、図５を用いて本実施例の温度制御を詳しく説明する。
【００４３】
また、図６はヒータの拡大構成であり、Ｂ面はサーミスタ配置面でありｂ点はヒータとサーミスタ接触部、Ａ面はフィルム摺動面側であり、ａ点はフィルム摺動面のサーミスタ配置位置である。
【００４４】
図３から図５中の実線はサーミスタで制御される制御温度、破線はヒータのサーミスタ配置側と反対側のフィルム摺動面側（図６のＡ面）のａ点の温度を示す。
【００４５】
例えば、図３ように画像形成動作開始時のサーミスタ検知温度が１００℃未満で、電源が投入され画像形成動作が開始されるまでの待機状態（ａ時点からｂ時点間）で６０秒以上待機した状態の場合は、画像形成動作開始時の１枚目のプリント温度Ｔｓは２００℃で制御される。そのときの破線で示したヒータのａ点の温度は２００℃である。
【００４６】
図４のように画像形成動作開始時のサーミスタ検知温度が１００℃未満で、電源が投入され画像形成動作が開始されるまでの待機状態（ａ時点からｂ時点間）で３０秒以上６０秒未満待機した状態の場合は、１９５℃で制御される。そのときの破線で示したヒータのａ点の温度は２００℃である。
【００４７】
また、図５のように画像形成動作開始時のサーミスタ検知温度が１００℃未満で、電源が投入され画像形成動作が開始されるまでの待機状態（ａ時点からｂ時点間）で３０秒未満待機した状態の場合は、プリント開始時の１枚目のプリント温度Ｔｓは１９０℃で制御される。そのときの破線で示したヒータのａ点の温度は２００℃である。
【００４８】
以上のように、本実施例の加熱装置においては電源が投入され画像形成動作が開始されるまでの待機状態の時間に関わらず、ヒータのフィルム摺動面のａ点の温度は一定温度に制御することができる。
【００４９】
比較例として、図７、図８、図９を用いて従来例の温度制御を詳しく説明する。
【００５０】
図７は従来例における加熱体のプリント温度Ｔｓを決定する表であり、加熱体のプリント温度Ｔｓの決定は、図７に示すように画像形動作開始時のサーミスタ検知温度に応じて決定される。
【００５１】
従来例において、プリント温度Ｔｓは画像形成動作開始時のサーミスタ検知温度が１００℃未満の場合、電源が投入され、画像形成動作が開始されるまでの待機状態（ａ時点からｂ時点間）の時間に関わらず２００℃で制御される。
【００５２】
例えば、図８ように動作開始時のサーミスタ検知温度が１００℃未満で、電源が投入され画像形成が開始されるまでの待機状態（ａ時点からｂ時点間）で６０秒以上待機した状態の場合は、画像形成開始時の１枚目のプリント温度Ｔｓは２００℃で制御される。そのときの破線で示したヒータのａ点の温度は２００℃である。
【００５３】
また、図９のように動作開始時のサーミスタ検知温度が１００℃未満で、電源が投入され画像形成動作が開始されるまでの待機状態（ａ時点からｂ時点間）で３０秒未満待機した状態の場合は、画像形成開始時の１枚目のプリント温度Ｔｓは図８と同様に２００℃で制御される。そのときの破線で示したヒータのａ点の温度は２１０℃である。
【００５４】
以上のように従来例の装置の制御においては、電源が投入され画像形成動作が開始されるまでの待機状態（ａ時点からｂ時点間）の時間によって、ヒータのフィルム摺動面のａ点の温度に違いが生じた。
【００５５】
本実施例の加熱装置と従来例の加熱装置においては、動作開始時のサーミスタ検知温度が１００℃未満の場合、ヒータのフィルム摺動面の温度を２００℃に制御することにより、記録材へのトナーの定着を良好に行うことができる。
【００５６】
本実施例においては、電源が投入され画像形成動作が開始されるまでの待機状態の時間に関わらずヒータのフィルム摺動面の温度を２００℃に制御することができ、良好な画像で記録材に定着させることができる。
【００５７】
比較例としての実施例においては、電源が投入され画像形成が開始されるまでの時間が６０秒以上待機した状態の場合はヒータのフィルム摺動面の温度を２００℃に制御することができ、良好な画像で記録材に定着させることができる。しかし、電源が投入され画像形成動作が開始されるまでの時間が３０秒未満と短い場合はヒータのフィルム摺動面の温度を２１０℃になるため、記録材へ与える熱量が過剰になるためホットオフセット等の異常画像が発生する場合がある。
【００５８】
（第２の実施例）
加熱定着装置の構成については、図２に示した第１の実施例の装置と同等であり、実施例１と同一要素には同一符号を付し、重複する説明は省略する。
【００５９】
本実施例においては、前の画像形成動作が終了し、スタンバイ温度Ｔｓで加熱体が制御された状態で一定時間にプリント信号が装置に入力されない場合、加熱体への通電を停止してスタンバイ温度制御を停止する機能を有する。本実施例においては、スタンバイ停止時間設定は、停止なし、１５分、３０分、６０分に設定可能であり、例えば３０分に設定した場合は、前の画像形成動作が終了してから３０分間に画像形成動作が開始されない場合は、スタンバイ温度制御は停止される。
【００６０】
本実施例の温度制御の概略を表した図１１の動作について説明する。図１１に示すように、スタンバイ温度Ｔｓに制御された加熱装置において、ｄ時点で装置がスタンバイ停止信号を受け取ると、スタンバイ温度Ｔｓに制御された加熱体の通電が停止される。スタンバイ温度制御が停止された状態で待機した加熱装置にｂ時点で画像形成動作が開始されると記録材が加熱装置に搬送されるのに合わせて、プリント温度Ｔｐになるように通電制御が行われ、加熱体に記録材が搬送され加熱定着される。ｃ時点で画像形成動作が終了すると、再びスタンバイ温度Ｔｓに制御温度が変更され、加熱装置は待機状態となる。
【００６１】
本実施例における加熱体のプリント温度Ｔｓの決定は、図１０に示すように画像形成動作開始時のサーミスタ検知温度とスタンバイ温度制御の停止から画像形成動作が開始されるまでの時間に応じて決定される。
【００６２】
以下、図１１、図１２、図１３を用いて本実施例の温度制御を詳しく説明する。
【００６３】
図１１から１３中の実線はサーミスタで制御される温度、破線は加熱体であるヒータのサーミスタ配置側と反対側のフィルム摺動面側（図６のＡ面）のａ点の温度を示す。
【００６４】
例えば、図１１ように画像動作開始時のサーミスタ検知温度が１００℃未満で、スタンバイ温度制御の停止され画像形成動作が開始されるまでの状態（ｄ時点からｂ時点間）が５分未満の場合は、プリント開始時の１枚目のプリント温度Ｔｓは２００℃で制御される。そのときの破線で示したヒータのａ点の温度は２００℃である。
【００６５】
また、図１２のように画像形成動作開始時のサーミスタ検知温度が１００℃未満で、スタンバイ温度制御の停止され画像形成動作が開始されるまでの状態（ｄ時点からｂ時点間）が５分以上１５分未満の場合は、画像形成開始開始時の１枚目のプリント温度Ｔｓは１９５℃で制御される。そのときの破線で示したヒータのａ点の温度は２００℃である。
【００６６】
図１３のように画像形成動作開始時のサーミスタ検知温度が１００℃未満で、スタンバイ温度制御の停止され画像形成動作が開始されるまでの状態（ｄ時点からｂ時点間）が１５分以上の場合は、１９０℃で制御される。そのときの破線で示したヒータのａ点の温度は２００℃である。
【００６７】
比較例として、図７、図１４、図１５を用いて従来例の温度制御を詳しく説明する。
【００６８】
図７に従来の加熱体のプリント温度Ｔｐの決定を表す図であり、加熱体のプリント温度Ｔｓの決定は、図７に示すように画像形成動作開始時のサーミスタ検知温度に応じて決定される。
【００６９】
例えば、図１４ように画像形成動作開始時のサーミスタ検知温度が１００℃未満で、スタンバイ温度制御の停止されプリント信号が入力されるまでの状態（ｄ時点からｂ時点間）が５分未満の場合は、プリント開始時の１枚目のプリント温度Ｔｓは２００℃で制御される。そのときの破線で示したヒータのａ点の温度は２００℃である。
【００７０】
また、図１５のように画像形成動作開始時のサーミスタ検知温度が１００℃未満で、スタンバイ温度制御の停止されプリント信号が入力されるまでの状態（ｄ時点からｂ時点間）が１５分以上の場合は、プリント開始時の１枚目のプリント温度Ｔｓは図１４と同様に２００℃で制御される。そのときの破線で示したヒータのａ点の温度は２１０℃である。
【００７１】
以上のように従来の装置の制御においては、スタンバイ温度制御の停止され画像形成動作が開始されるまでの時間（ｄ時点からｂ時点間）によって、ヒータのフィルム摺動面のａ点の温度に違いが生じた。
【００７２】
本実施例においては、スタンバイ温度制御の停止され画像形成動作が開始されるまでの時間（ｄ時点からｂ時点間に関わらず、ヒータのフィルム摺動面のａ点の温度は一定温度に制御することができる。
【００７３】
本実施例の加熱装置と従来例の加熱装置においては、動作開始時のサーミスタ検知温度が１００℃未満の場合、ヒータのフィルム摺動面の温度を２００℃に制御することにより、記録材へのトナーの定着を良好に行うことができる。
【００７４】
本実施例においては、スタンバイ温度制御が停止され画像形成動作が開始されるまでの時間に関わらずヒータのフィルム摺動面の温度を２００℃に制御することができ、良好な画像で記録材に定着させることができる。
【００７５】
比較例としての実施例においては、スタンバイ温度制御が停止され画像形成動作が開始されるまでの時間が５分未満の場合はヒータのフィルム摺動面の温度を２００℃に制御することができ、良好な画像で記録材に定着させることができる。しかし、スタンバイ温度制御の停止され画像形成動作が開始されるまでの時間が１５分以上の場合はヒータのフィルム摺動面の温度を２１０℃になるため、記録材へ与える熱量が過剰になるためホットオフセット等の以上画像が発生する場合がある。
【００７６】
（第３の実施例）
加熱定着装置の構成については、図２に示した第１の実施例の装置と同等であり、実施例１と同一要素には同一符号を付し、重複する説明は省略する。
【００７７】
本実施例における加熱体のプリント温度Ｔｓの決定は、図１６に示すように画像形成動作開始時のサーミスタ検知温度と電源投入から画像形成動作が開始されるまでの時間と通紙枚数に応じて決定される。
【００７８】
以下、図１７、図１８、を用いて本実施例の温度制御を詳しく説明する。図１７から１９中の実線はサーミスタで制御される温度、破線は加熱体であるヒータのサーミスタ配置側と反対側のフィルム摺動面側（図６のＡ面）のａ点の温度を示す。
【００７９】
例えば、図１７ように画像形成動作開始時のサーミスタ検知温度が１００℃未満で、電源が投入され画像形成動作が開始されるまでの待機状態で３０秒未満待機した状態の場合は、１枚目から３枚目のプリント温度Ｔｓは１９０℃、４枚目から６枚目は１９５℃、４枚目から６枚目は１９０℃で制御される。そのときのヒータのａ点の温度は約２００℃で維持される。
【００８０】
また、図１８のように画像動作開始時のサーミスタ検知温度が１００℃未満で、電源が投入され画像形成動作が開始されるまでの待機状態で３０秒以上６０秒未満待機した状態の場合は、１枚目から３枚目のプリント温度Ｔｓは１９５℃、４枚目から１０枚目は２００℃で制御される。そのときの破線で示したヒータのａ点の温度は約２００℃で維持される。
【００８１】
比較例として、図１９、図２０を用いて従来例の温度制御を詳しく説明する。
【００８２】
図１９に従来の加熱体のプリント温度Ｔｐの決定を表す図であり、加熱体のプリント温度Ｔｓの決定は、図２０に示すように画像形成動作開始時のサーミスタ検知温度と通紙枚数に応じて決定される。
【００８３】
例えば、図２０ように画像形成動作開始時のサーミスタ検知温度が１００℃未満で、電源が投入され画像形成動作が開始されるまでの待機状態で２０秒未満待機した状態の場合は、１枚目から１０枚目のプリント温度Ｔｓは２００℃で制御される。そのときの破線で示したヒータのａ点の温度は１枚目で２１０℃であり、サーミスタで制御に対して高い温度となる。
【００８４】
以上のように従来の装置の制御においては、電源が投入され画像形成動作が開始されるまでの待機状態（ａ時点からｂ時点間）の時間によって、そのときの１枚目から１０枚目までののヒータ上のａ点の温度に違いが生じた。
【００８５】
本実施例においては、電源が投入され画像形成動作が開始されるまでの待機状態（ａ時点からｂ時点間）の時間に関わらず、１枚目から１０枚目までのヒータのフィルム摺動面のａ点の温度は一定温度に制御することができる。
【００８６】
本実施例の加熱装置と従来例の加熱装置においては、動作開始時のサーミスタ検知温度が１００℃未満で通紙枚数が１枚目から１０枚目の場合は、ヒータのフィルム摺動面の温度を２００℃に制御することにより、記録材へのトナーの定着を良好に行うことができる。
【００８７】
本実施例においては、電源が投入され画像形成動作が開始されるまでの待機状態の時間に関わらず通紙枚数が１枚目から１０枚目の場合は、ヒータのフィルム摺動面の温度をほぼ２００℃に制御することができ、良好な画像で記録材に定着させることができる。
【００８８】
比較例としての従来例においては、電源が投入され画像形成動作が開始されるまでの待機状態の時間が２０秒以内の場合はヒータのフィルム摺動面の温度を２１０℃になるため、記録材へ与える熱量が過剰になるためホットオフセット等の以上画像が発生する場合がある。
【００８９】
（第４の実施例）
図２１は、上述の実施例で説明した加熱装置を適用した本発明の画像形成装置の構成を示す概略図である。図において、１１は像担持体としての例えば直径３０ｍｍの感光ドラムであり、不図示の駆動源によって矢印Ｒ１方向に所定の速度で回転駆動される。
【００９０】
この感光ドラム１１の周囲には、その回転方向に沿って順に、感光ドラム表面を所定の電位に均一に帯電する帯電部材としての例えば直径１２ｍｍの帯電ローラ１２と、この感光ドラム１１上に画像情報に応じて静電潜像を形成する露光手段１３と、この静電潜像にトナーを付着させてトナー像として形成する現像手段１４と、感光ドラム１１上のトナー像を記録材に転写する転写部材としての例えば直径１２ｍｍの転写ローラ１５とトナー画像転写後の感光ドラム１１の表面に付着している残留トナーを除去し回収するクリーナー１６等の画像形成手段が配置されている。１７は前記第１から第３の実施例の形態のいずれかに記載した加熱装置を適用した定着装置である。
【００９１】
次に、上記のように構成された画像形成装置による画像形成時の動作を説明する。感光ドラム１１は矢印Ｒ１方向に所定の速度で回転駆動する。帯電ローラ１２には、交流電圧に直流電圧を重畳された電圧が印加され、感光ドラム１１表面は−６００Ｖの均一電位に帯電される。
【００９２】
帯電後の感光ドラム１１は、露光手段１３による画像情報の露光Ｌａを受けることで静電潜像が形成される。次いで、この静電潜像は現像手段１４により、トナー像が形成される。
【００９３】
転写１５は、感光ドラム１１に形成されているトナー像を記録材Ｐに転写させ、本発明の加熱装置１７へ搬送して記録材Ｐ上のトナー像を定着される。
【００９４】
一方、転写後の感光ドラム１１は、その表面に残留付着しているトナーがクリーナー１６によって清掃除去され、再び次の画像形成動作が行われる。
【図面の簡単な説明】
【００９５】
【図１】本発明の実施例１におけるプリント温度を決定する表
【図２】本発明の実施例における加熱装置の概略構成図
【図３】本発明の実施例１における温度制御を表す図
【図４】本発明の実施例１における温度制御を表す図
【図５】本発明の実施例１における温度制御を表す図
【図６】本発明の実施例におけるヒータの拡大構成図
【図７】従来例におけるプリント温度を決定する表
【図８】従来例における温度制御を表す図
【図９】従来例における温度制御を表す図
【図１０】本発明の実施例２におけるプリント温度を決定する表
【図１１】本発明の実施例２における温度制御を表す図
【図１２】本発明の実施例２における温度制御を表す図
【図１３】本発明の実施例２における温度制御を表す図
【図１４】従来例における温度制御を表す図
【図１５】従来例における温度制御を表す図
【図１６】本発明の実施例３におけるプリント温度を決定する表
【図１７】本発明の実施例３における温度制御を表す図
【図１８】本発明の実施例３における温度制御を表す図
【図１９】従来例におけるプリント温度を決定する表
【図２０】従来例における温度制御を表す図
【図２１】実施例４における画像形成装置の概略構成図
【図２２】従来例における加熱装置の概略構成図
【符号の説明】
【００９６】
３    加熱体（ヒータ）
３ａ  発熱体
５    温度検知素子（サーミスタ）
Ｔｐ  プリント温度
Ｔｓ  スタンバイ温度
【図１】
2006030623.tif 000003
【図２】
2006030623.tif 000004
【図３】
2006030623.tif 000005
【図４】
2006030623.tif 000006
【図５】
2006030623.tif 000007
【図６】
2006030623.tif 000008
【図７】
2006030623.tif 000009
【図８】
2006030623.tif 000010
【図９】
2006030623.tif 000011
【図１０】
2006030623.tif 000012
【図１１】
2006030623.tif 000013
【図１２】
2006030623.tif 000014
【図１３】
2006030623.tif 000015
【図１４】
2006030623.tif 000016
【図１５】
2006030623.tif 000017
【図１６】
2006030623.tif 000018
【図１７】
2006030623.tif 000019
【図１８】
2006030623.tif 000020
【図１９】
2006030623.tif 000021
【図２０】
2006030623.tif 000022
【図２１】
2006030623.tif 000023
【図２２】
2006030623.tif 000024